(57)【要約】      （修正有）【課題】アスベスト除去作業で汚れた工事用機材を洗浄でき、工事終了後の運搬移動時、周囲に粉塵を飛散させることがない洗浄ルームを提供する。【解決手段】アスベスト工事用機材の洗浄ルーム１００は、コンテナ型の内部が密閉された箱体１２であって、その外側面に、圧縮空気２１を箱体内に送り込む空気引込み口１と、加圧水２２を箱体内に送り込む水引込み口２と、箱体内の汚れた空気３１を箱体の外側に取り出す空気吸出し口と、箱体内の汚れた水３２を筺体の外側に取り出す水吸出し口と、箱体内の空気が吸い出されあるいは排気されて空気圧が低くなると、外部の空気を箱体内に吸入する差圧ダンパー７と、工事用機材を出し入れする扉とが備えられる。【選択図】図４
0003137722.tif 000002
【実用新案登録請求の範囲】
【請求項１】
コンテナ型の内部が密閉された箱体であって、その外側面に、
圧縮空気を前記箱体内に送り込む空気引込み口と、加圧水を前記箱体内に送り込む水引込み口と、前記箱体内の汚れた空気を前記箱体の外側に取り出す空気吸出し口と、前記箱体内の汚れた水を前記筺体の外側に取り出す水吸出し口と、前記箱体内の空気が吸い出されあるいは排気されて空気圧が低くなると、外部の空気を前記箱体内に吸入する差圧ダンパーと、工事用機材を出し入れする扉と、が備えられたことを特徴とするアスベスト工事用機材の洗浄ルーム。
【請求項２】
前記箱体内に設置され、前記箱体の側面に設けられた排気口に接続される負圧集塵機と、前記箱体の外側に設けられ、前記水吸出し口に接続される濾過装置と、が備えられることを特徴とする請求項１に記載のアスベスト工事用機材の洗浄ルーム。
【請求項３】
前記箱体内の前記空気引込み口と前記水引込み口の各々に、ノズル付きのホースが設置されることを特徴とする請求項１に記載のアスベスト工事用機材の洗浄ルーム。
【考案の詳細な説明】
【技術分野】
【０００１】
本考案は、洗浄装置に係り、より具体的には、アスベストの除去作業で汚れた工事用機材を洗浄することができる洗浄ルームに関する。
【背景技術】
【０００２】
アスベストは、石綿とも呼ばれ、クリソタイル（白石綿）、アモサイト（茶石綿）、クロシドライト（青石綿）の種類があり、建築物の耐火被覆材、断熱材として床、壁、天井などに使用されてきた。このような建物の解体では、アスベストの粉塵が外部に飛散しないようにアスベストを除去することが求められる。一般には、作業現場をプラスチックシートで完全密閉した管理区域を設け、高性能の集塵機で内部を負圧とした後、除去作業を行う。まず、対象となる壁や天井に粉塵を抑えるための特殊な溶剤を塗布し、剥離装置で壁や天井などを粉砕して専用の袋に詰めるものである。袋は２重にされる。これを専用の処理場まで運搬し、高温炉で償却処分や埋め立て処分する。
【０００３】
剥離装置には、保護マスクと専用の保護服を着けた作業者が管理区域に入って、直接操作するタイプの工具がある。最近では、移動手段を備えて遠隔から操作できる剥離装置が提案されている。特許文献１には、ブラストノズルと泡噴射ノズルで粉砕したアスベスト片を回収する移動台車で動く剥離装置が示されている。このようなアスベスト工事用機材は、１つの作業現場から別の作業現場への移動に際して、除去作業で付着したアスベストの粉塵が飛散しないよう洗浄することが求められる。
【特許文献１】特開２００７−１２００３３号公報
【考案の開示】
【考案が解決しようとする課題】
【０００４】
本考案の目的は、アスベスト除去作業で汚れた工事用機材を洗浄でき、工事終了後の運搬移動時、周囲に粉塵を飛散させることがない洗浄ルームを提供することにある。
【課題を解決するための手段】
【０００５】
上記の目的を達成するため、本考案による請求項１記載のアスベスト工事用機材の洗浄ルームは、コンテナ型の内部が密閉された箱体であって、その外側面に、圧縮空気を前記箱体内に送り込む空気引込み口と、加圧水を前記箱体内に送り込む水引込み口と、前記箱体内の汚れた空気を前記箱体の外側に取り出す空気吸出し口と、前記箱体内の汚れた水を前記筺体の外側に取り出す水吸出し口と、前記箱体内の空気が吸い出されあるいは排気されて空気圧が低くなると、外部の空気を前記箱体内に吸入する差圧ダンパーと、工事用機材を出し入れする扉と、が備えられたことを特徴とする。
【０００６】
本考案による請求項２は、前記箱体内に設置され、前記箱体の側面に設けられた排気口に接続される負圧集塵機と、前記箱体の外側に設けられ、前記水吸出し口に接続される濾過装置と、が備えられることを特徴とする。
【０００７】
本考案による請求項３は、前記箱体内の前記空気引込み口と前記水引込み口の各々に、ノズル付きのホースが設置されることを特徴とする。
【考案の効果】
【０００８】
本考案による請求項１の洗浄ルームはコンテナ型の箱体であるから、アスベスト除去作業の現場にトラック等で運搬し設置することができる。箱体に空気引込み口と水引込み口、それに汚れた空気を取り出す吸出口と汚れた水を取り出す吸出口を設けたので、空気洗浄と水洗浄の両方が可能である。水洗浄は、空気洗浄よりも付着したアスベストの粉塵を強力に洗い流すことができる。差圧ダンパーは、箱体内部の空気圧が、外部の空気圧より低下すると作動し、外部の空気を箱体内部に供給する弁であり、洗浄中は箱体内部の空気が吸引され空気圧が低いので、箱体内部の汚れた空気が外に漏れることがない。
【０００９】
本考案による請求項２の洗浄ルームによれば、箱体内に負圧集塵機を設け、箱体の外側に水吸出し口に接続される濾過装置を設けたので、汚れた空気および汚れた水を取り出すアスベスト無害化装置が設置されない場合でも、洗浄によって汚れた空気および汚れた水をきれいにして外部に排出できる。
【００１０】
本考案による請求項３の洗浄ルームによれば、空気引込み口と引込み口にノズル付きのホースをそれぞれ設けたので、ノズルが固定式のものと比較して、保護マスクと保護服を着けて洗浄ルームに入った作業者が、工事用機材をきめ細かく洗浄できる。
【考案を実施するための最良の形態】
【００１１】
以下、図面を参照して本考案によるアスベスト工事用機材の洗浄ルームについて説明する。
【実施例１】
【００１２】
図１は本考案による洗浄ルームの正面図である。洗浄ルーム１００は、コンテナ型の箱体１２からなる。箱体１２は、寸法が一例として、高さ２０００ｍｍ、横幅１７００ｍｍ、奥行き２４００ｍｍで構成した。箱体１２は、内部の水と空気が漏れ出ないよう上下左右および前後に各面を有する密閉構造となっている。箱体１２の正面には、圧縮空気を箱体１２内に送り込む空気引込み口１と、加圧水を箱体１２内に送り込む水引込み口２が設けられる。ここから供給された空気と水で、内部に置かれた工事用機材を洗浄する。洗浄して汚れた空気と水は、空気吸出し口４と、水吸出し口５から吸い出され他のアスベスト無害化装置（図示せず）に送られる。排気口６は、箱体１２の内部に配置された負圧集塵機１３の排気口である。排気口６に負圧集塵機１３の排気口６が密着して取り付けられる。なお、負圧集塵機は、現場にアスベスト無害化装置が設置されない場合に設けられる。排気口６は、負圧集塵機１３が設置されない場合は閉じられている。電源コード引込み口３は、内部の負圧集塵機１３の給電線の引き込みに使用される。箱体１２の上部には２つの差圧ダンパー７が設けられる。
【００１３】
アスベスト無害化装置は、一例として、アスベスト粉砕片を吸引して水に通してタンク内に沈降させ、沈降したアスベストを炉で溶融して無害化する現場設置型の装置である。このような装置には、空気によるアスベスト粉砕片の吸引の他に、ポンプによるアスベストの粉塵を含む水を吸引してタンクに送り込む吸引機構も備えられる。本考案による洗浄ルーム１００は、このような装置と連動して使用されることが好ましい。ただし、洗浄ルーム１００は、このようなアスベスト無害化装置が設置されない場合でも、使用できるように構成される。
【００１４】
負圧集塵機１３は、一例としては高さ奥行き横幅が各６００ｍｍ程度の箱型で、内部にターボファンがあり、複数段のフィルターとヘパフィルターが装備される。吸い込んだ空気は、これら複数のフィルターを通すことで、０．３ミクロンレベルの塵埃が９９．９７％以上捕捉される装置である。ヘパフィルター（Ｈｉｇｈ  Ｅｆｆｉｃｉｅｎｃｙ  Ｐａｒｔｉｃｕｌａｒ  Ａｉｒ  Ｆｉｌｔｅｒの略）は、特殊ガラス繊維でできた高性能フィルターで、再生は不可であり、２〜５年位で寿命となり交換される。負圧集塵機１３は、アスベスト無害化装置が設置されない場合でも空気清浄機として使用でき、洗浄ルーム１００の箱体１２内部の汚れた空気をきれいにして排出することができる。
【００１５】
図２は洗浄ルームの平面図である。洗浄ルーム１００の箱体１２上部には差圧ダンパー７が設けられる。箱体１２の内部は、空気吸出し口４からの空気を吸い出し、または、負圧集塵機１３の排気によって負圧にされる。空気引込み口１からの空気の供給量より多くの空気が排出される。このためアスベストの粉塵が洗浄ルーム１００の外部に漏れないようにできる。箱体１２の内部の負圧が一定以上となると、差圧ダンパー７が開いて、外部の空気が箱体１２内に送り込まれる。差圧ダンパー７は図２の引き出し円の中に示すように、おもり１４の付いた板体１５で構成できる。室内の圧力が下がると、弁の機能をなす板体１５が室内側に動き、外部の空気が供給される。
【００１６】
図３は、洗浄ルームの背面図である。洗浄ルーム１００の箱体１２後部には扉１１が設けられる。取っ手８のあるハッチバック式の扉とした。扉１１を跳ね上げて工事用機材を箱体１２内に設置する。洗浄する際は扉１１を閉める。扉１１の内側はゴムなどでパッキングされた防水構造となっている。
【００１７】
図４は、洗浄ルームの側面図である。コンプレッサから送り出された洗浄用の圧縮空気２１は、空気引込み口１から箱体１２の内部に入り、ホース９を介してノズル１０から噴射される。ポンプから送り出された洗浄用の加圧水２２は、水引込み口２から箱体１２の内部に入り、ホース９を介してノズル１０から噴射される。アスベスト除去の工事用機材の１つとして、クローラ型剥離装置５０を収納した場合を示す。クローラ型剥離装置５０はアームの先端に剥離工具５１があり、剥離工具５１で剥離したアスベスト粉砕片は、アームに取り付けられた吸引管を通ってアスベスト無害化装置に送られる。洗浄は、作業者が保護マスクと保護服を着用して箱体１２の内部に入り、まず、空気洗浄し、次に水で洗浄する。工事用機材でやぐらなど洗浄ルーム１００に入らないものは、分解して箱体１２内に収納する。箱体１２内の洗浄によってアスベストで汚れた空気３１は、空気吸出し口４からアスベスト無害化装置へ吸い出される。箱体１２内の洗浄によってアスベストで汚れた水３２は、水吸出し口５からアスベスト無害化装置へ吸い出される。箱体１２内が負圧になると、差圧ダンパー７の弁が開いて外部の空気が供給される。
【００１８】
アスベスト無害化装置が使用されない場合、空気吸出し口４はキャップで閉じられ、代わりに負圧集塵機１３が設置され運転される。また、水吸出し口５の先には、高性能濾過装置（図示せず）が設置される。高性能濾過装置は、ステンレス製のスプリングとその周囲に設けられた濾過助剤（珪藻土など）からなり、スプリングの隙間（１０〜５０ミクロン程度）にコーティングされた珪藻土の微細孔（０．１〜１ミクロン）により、極めて微細な粒子を捕捉できる。この場合、除去現場でのアスベスト粉塵の溶融による無害化はできないが、負圧集塵機１３と高性能濾過装置の各フィルターは、別途回収され無害化処理される。
【産業上の利用可能性】
【００１９】
本考案によるアスベスト工事用機材の洗浄ルームは、アスベストで汚れた工事用機材の洗浄ルームとして好適である。工事用機材の運搬移動の際、移動経路がアスベスト粉塵で曝されることがない。この洗浄ルームは、アスベストに限らず、他の有害物質粉塵の洗浄に使用することもできる。
【図面の簡単な説明】
【００２０】
【図１】本考案による洗浄ルームの正面図である。（実施例１）
【図２】本考案による洗浄ルームの平面図である。（実施例１）
【図３】本考案による洗浄ルームの背面図である。（実施例１）
【図４】本考案による洗浄ルームの側面図である。（実施例１）
【符号の説明】
【００２１】
１    空気引込み口
２    水引込み口
３    電気コード引込み口
４    空気吸出し口
５    水吸出し口
６    排気口
７    差圧ダンパー
８    取っ手
９    ホース
１０    ノズル
１１    扉
１２    箱体
１３    負圧集塵機
１４    おもり
１５    板体
２１    圧縮空気
２２    加圧水
３１    汚れた空気
３２    汚れた水
５０    クローラ型剥離装置
５１    剥離工具
１００    洗浄ルーム
【図１】
0003137722.tif 000003
【図２】
0003137722.tif 000004
【図３】
0003137722.tif 000005
【図４】
0003137722.tif 000006